(57)【要約】【課題】植栽領域から非植栽領域への植物の侵入を有効に防ぐことができる屋根緑化構造体を提供する。【解決手段】屋根緑化構造体１０は、屋根Ｒの上に敷き詰められて屋根Ｒの上を平坦化する複数のフラット化パネル１１と、これら複数のフラット化パネル１１の上面に沿って延在してその上面を植栽領域１０Ａと非植栽領域１０Ｂに仕切る仕切壁部材１６と、これら複数のフラット化パネル１１および仕切壁部材１６を屋根Ｒに固定するクランプ１３を有する。そして、仕切壁部材１６は、フラット化パネル１１の上面から植栽領域１０Ａに植栽された植物１５の高さ以上の位置まで突出する縦壁部４１と、縦壁部４１の上端で折曲されて植栽領域１０Ａ側に向かって突出する庇部４３を有しており、植物１５が成長した場合に、庇部４３に当接させて非植栽領域１０Ｂ側への侵入を防ぐように構成されている。【選択図】図５
2010138545.tif 000002
【特許請求の範囲】
【請求項１】
屋根を緑化する屋根緑化構造体において、
前記屋根の上に敷き詰められて前記屋根の上を平坦化する複数のパネル部材と、
前記パネル部材の上面に沿って延在して前記複数のパネル部材の上面を植栽領域と非植栽領域に仕切る仕切壁部材と、
前記複数のパネル部材および前記仕切壁部材を前記屋根に固定する固定具と、を有し、
前記仕切壁部材は、
前記パネル部材の上面から前記植栽領域に植栽された植物の高さ以上の位置まで突出する縦壁部と
該縦壁部の上端で折曲されて植栽領域側に向かって突出する庇部と、
を有することを特徴とする屋根緑化構造体。
【請求項２】
前記仕切壁部材は、前記縦壁部の下端で折曲されて前記非植栽領域側に向かって突出し、前記固定具に固定される固定部を有しており、断面が略Ｚ字形状を有することを特徴とする請求項１に記載の屋根緑化構造体。
【請求項３】
前記非植栽領域には、太陽光発電パネルが敷設されることを特徴とする請求項１又は２に記載の屋根緑化構造体。
【請求項４】
前記非植栽領域には、デッキ材が敷設されることを特徴とする請求項１又は２に記載の屋根緑化構造体。
【発明の詳細な説明】
【技術分野】
【０００１】
本発明は、建物の屋根に設置されて、屋根の上を緑化する屋根緑化構造体に関する。
【背景技術】
【０００２】
近年、ヒートアイランド現象の緩和や二酸化炭素排出量の削減による地球温暖化防止の観点から、建物の屋根を植物で覆う屋根緑化工事が盛んに行われている。屋根に設置されて屋根の上を緑化する緑化構造体は、保水排水機能を有する緑化基盤材を屋根の上に敷設し、その上に人工土壌を積層し、人工土壌に植物を植栽することによって構成されている。そして、緑化構造体の上面を、植物が植栽される植栽領域と、作業者の管理通路や太陽光発電パネル等が設けられる非植栽領域に区画することが行われている（例えば特許文献１、２を参照）。
【０００３】
特許文献１には、植物が植栽された箱型の緑化パネルと、通路用の板状部材とを屋根上に並べて、取付金具で固定する構成の緑化屋根が示されている（例えば特許文献１の図１７、図１８を参照）。そして、特許文献２には、第１の枠内に太陽光発電モジュールが設けられてなる太陽電池パネルと、第２の枠内に緑化植物が植栽された植栽層が設けられてなる植栽パネルとが、建物の屋根面に複数敷設された構成が示されている（例えば特許文献２の図３を参照）。
【０００４】
【特許文献１】特開２００５−３１５０４６号公報
【特許文献２】特開２００５−２８２２１１号公報
【発明の開示】
【発明が解決しようとする課題】
【０００５】
しかしながら、上記した特許文献１、２では、いずれも植物の下側で、植栽領域と非植栽領域に区画されているだけである。従って、植栽領域の植物が成長して、植栽領域の上部から非植栽領域に侵入するおそれがある。植物が非植栽領域に侵入すると、例えば非植栽領域に管理通路が設けられている場合には、管理通路の一部を塞いで管理作業を妨げる原因になり、また、非植栽領域に太陽光発電パネルが設けられている場合には、太陽光発電パネルの表面を覆い、その発電効率を低下させることが懸念される。
【０００６】
また、植栽領域から非植栽領域への植物の侵入を防ぐべく、植栽領域と非植栽領域との間に縦壁部を設けて区画しようとすると、植物の成長を考慮して植物よりも遙か上方の高さ位置まで突出する高さの縦壁部を用意する必要がある。従って、非植栽領域に設けられている管理通路の円滑な歩行や植物の管理作業を阻害するおそれがあり、また、太陽光発電パネルに対して広範囲の日陰部分を作り、その発電効率を低下させるおそれがある。
【０００７】
本発明は、上記の点に鑑みてなされたものであり、その目的とするところは、植栽領域から非植栽領域への植物の侵入を有効に防ぐことができる緑化構造体を提供することである。
【課題を解決するための手段】
【０００８】
上記課題を解決する本発明の緑化構造体は、屋根を緑化する屋根緑化構造体において、屋根の上に敷き詰められて屋根の上を平坦化する複数のパネル部材と、パネル部材の上面に沿って延在して複数のパネル部材の上面を植栽領域と非植栽領域に仕切る仕切壁部材と、複数のパネル部材および仕切壁部材を屋根に固定する固定具とを有し、仕切壁部材は、パネル部材の上面から植栽領域に植栽された植物の高さ以上の位置まで突出する縦壁部と、縦壁部の上端で折曲されて植栽領域側に向かって突出する庇部と、を有することを特徴としている（請求項１）。
【０００９】
本発明の緑化構造体によれば、仕切壁部材の縦壁部は、植栽領域に植栽された植物の高さ以上の位置まで突出し、庇部は、縦壁部の上端で折曲されて植栽領域側に向かって突出しているので、植栽領域に植栽されている植物が成長した場合に、非植栽領域近傍に植栽されている植物を庇部に当接させることができ、非植栽領域側に侵入するのを有効に防ぐことができる。
【００１０】
従って、非植栽領域に設けられた管理通路や太陽光発電パネルが植物によって覆われるのを防ぐことができる。また、庇部を設けることによって、縦壁部の高さを低くすることができ、管理通路の歩行や管理作業が阻害されるのを防ぐことができ、また、太陽光発電パネルに対して日陰部が形成されるのを防ぎ、所期の発電効率を確保することができる。
【００１１】
そして、本発明の緑化構造体によれば、仕切壁部材は、縦壁部の下端で折曲されて非植栽領域側に向かって突出して固定具に固定される固定部を有しており、断面が略Ｚ字形状を有することを特徴としている（請求項２）。
【００１２】
従って、固定部を非植栽領域側に露出させることができ、例えば仕切壁部材を固定具に固定する作業をパネル部材の上方から行う場合に、かかる作業を容易化でき、施工期間を短縮化し、施工コストを安価にすることができる。
【００１３】
そして、非植栽領域には、太陽光発電パネルやデッキ材を敷設することが好ましい（請求項３及び請求項４）。例えば、非植栽領域に太陽光発電パネルを敷設した場合、仕切壁部材によって植栽領域側から非植栽領域側への植物の侵入が有効に防止されているので、植栽領域の植物によってパネル上面に日陰が形成されるのを防ぐことができ、日陰による発電効率の低下を防ぐことができる。
【００１４】
また、例えば非植栽領域にデッキ材を敷設した場合、歩行者が歩行する歩道や、作業者が植栽領域の植物等のメンテナンスを行うための作業用通路を形成することができ、歩行者等が植栽領域に立ち入るのを防いで、植物を保護することができる。
【発明の効果】
【００１５】
本発明によれば、仕切壁部材は、植栽領域に植栽された植物の高さ以上の位置まで突出する縦壁部と、縦壁部の上端で折曲されて植栽領域側に向かって突出する庇部を有しているので、植栽領域に植栽されている植物が成長した場合に、非植栽領域近傍に植栽されている植物を庇部に当接させることができ、植栽領域の植物が非植栽領域側に侵入するのを有効に防ぐことができる。
【発明を実施するための最良の形態】
【００１６】
以下、図面を参照しながら、本発明を実施の形態に基づき説明する。本実施の形態では、立ちはぜ折板屋根Ｒの上に敷設される屋根緑化構造体の構造について説明する。尚、屋根は、立ちはぜ折板屋根に限定されるものではなく、立ちはぜ以外の折板屋根や波板屋根等、他の種類の屋根にも同様に適用することができる。
【００１７】
図１は立ちはぜ折板屋根の一例を示すものであり、図１（ａ）は、立ちはぜ折板屋根の構成を一部破断により示す斜視図、図１（ｂ）は、立ちはぜ折板屋根を構成する屋根板の断面図である。
【００１８】
立ちはぜ折板屋根Ｒは、図１に示すように、左右の立ち上がり縁の上端部に互いに係合する湾曲部３ａ，３ｂ（図１（ｂ）を参照）を形成した長尺状の屋根板３を、隣接する屋根板３，３の湾曲部同士を係合（はぜ継ぎ）しながら、梁５の上に専用の取り付け具６を利用して固定するようにしている。そして、屋根勾配方向であるＸ方向に走る山形部１が屋根横幅方向であるＹ方向に所定ピッチＰａで連続しており、山形部１の頂部２には屋根板３を連接したときの丸みを持つ立ちはぜ突条４が屋根勾配方向に走っている。
【００１９】
図２は立ちはぜ折板屋根の上に屋根緑化構造体が敷設された状態を示す平面図、図３は屋根緑化構造体の固定状態を説明する断面図、図４は、図３のＡ部を拡大して示す図、図５は、図３のＢ部を拡大して示す図、図６はクランプの構成を説明する斜視図である。
【００２０】
屋根緑化構造体１０は、図３に示すように、立ちはぜ折板屋根Ｒの上に敷き詰められて平坦化するフラット化パネル（パネル部材）１１と、フラット化パネル１１の上に設けられる保水排水基盤材（緑化基盤材）１２と、フラット化パネル１１及び保水排水基盤材１２を立ちはぜ折板屋根Ｒに固定するためのクランプ（固定具）１３と、保水排水基盤材１２の上に敷き詰められる軽量土壌１４と、軽量土壌１４の上に植栽される芝草等の植物１５を備えている。
【００２１】
そして、クランプ１３に固定された仕切壁部材１６によって、屋根緑化構造体１０の上面を、植物１５が植栽される植栽領域１０Ａと、管理通路５１等として使用する非植栽領域１０Ｂに区画している。
【００２２】
本実施の形態では、図２に示すように、フラット化パネル１１の上面に、一対の仕切壁部材１６を平行に延在するように配置して、植栽領域１０Ａの中間位置に非植栽領域１０Ｂを形成し、非植栽領域１０Ｂを管理通路５１として使用している。尚、図３で符号１８は、屋根緑化構造体１０の外周囲を囲む外周用見切り材である。
【００２３】
屋根緑化構造体１０は、植栽領域１０Ａではフラット化パネル１１の上に保水排水基盤材１２が敷設され、その保水排水基盤材１２の上に軽量土壌１４が敷設されて、かかる軽量土壌１４に植物１５が植栽された構成を有し、非植栽領域１０Ｂではフラット化パネル１１だけが敷設された構成を有している。
【００２４】
フラット化パネル１１は、通路として使用可能な耐荷重性を有する硬質の発泡樹脂製材料からなり、一定の板厚を有する平面視略矩形の平板形状を有している。そして、屋根緑化構造体１０に用いられるフラット化パネル１１のうち、植栽領域１０Ａに設けられるフラット化パネル１１は、その上面が植物１５の根の侵入を防ぐ耐根フィルムによってコーティングされている。そして、非植栽領域１０Ｂに設けられるフラット化パネル１１の上面には、例えば連続気泡を有し該気泡内に予め設定された量の水を保持することが可能な保水平板を用いてもよい。
【００２５】
非植栽領域１０Ｂに設けられるフラット化パネル１１の上面に保水平板を用いることにより、水分の蒸散による屋根面の温度低下の効果を期待できる。尚、保水排水基盤材１２と軽量土壌１４との間には、透水シート１７が介在されており、軽量土壌１４の流出を防止するフィルタとしての役割を有している。
【００２６】
クランプ１３は、図６に示すように、一定の横幅を持つ左右一対のクランプ片２１，２１で構成される。各クランプ片２１は、立ちはぜ突条４の下方領域を押さえ付ける挟持先端部２２ａとその上方の第１の水平部２２ｂとからなる膨出部２３と、前記挟持先端部２２ａの先端位置とほぼ同じ垂直位置において前記第１の水平部２２ｂから立ち上がる垂直部２４と、該垂直部２４の上端に位置する第２の水平部２５とを有し、垂直部２４には左右のクランプ片２１，２１を一体に締め付けるときに用いる締結ボルト用のボルト孔２６が形成されている。また、第２の水平部２５には保水排水基盤材１２や仕切壁部材１６等を固定するためのボルト穴２７が形成されている。
【００２７】
なお、ボルトナットでなくドリルビス等を用いて左右のクランプ片２１，２１を一体に締め付けるようにしてもよく、その場合には、ボルト孔２６を省略することができる。また、左右のクランプ片２１，２１のボルト孔２６の一方を、ボルト孔に替えてより径の小さい小孔としてもよい。
【００２８】
膨出部２３の内面側の形状は、好ましくは立ちはぜ突条４の外郭形状に一致した形状であり、その大きさは、左右のクランプ片２１，２１を締め付けたときに立ちはぜ突条４をわずかに圧縮して変形させるような大きさとされる。しかし、膨出部２３の内面側の形状は、左右のクランプ片２１，２１を締め付けたときに、その内周面が部分的に突条４に接触するような形状、あるいはまったく接しない形状であっても差し支えない。
【００２９】
挟持先端部２２ａ，２２ａの先端は、先端が外側に離反し、突条４に当たる面が曲面とされている。図示しないが、立ちはぜ突条４と該突条４を挟持するクランプ片２１，２１との間にパッキン材を介装してもよい。このようにパッキン材を介装させることにより、立ちはぜ突条４とクランプ１３とが直接接触しないようになり、立ちはぜ突条４の防錆処理が剥がれた場合でも、防食電流の流れを効果的に防止することができ、立ちはぜ突条４の腐食による劣化を長期にわたって回避することができる。
【００３０】
クランプ１３の立ちはぜ突条４への固定に際しては、図６に示すように、左右のクランプ片２１，２１の膨出部２３の間に立ちはぜ突条４を挟み込んだ姿勢とし、双方の垂直部２４に形成したボルト孔２６にボルトを通してナットで締め付ける。一定の横幅を持つ挟持先端部２２ａの先端と膨出部２３の内面側とで突条４を両側から押さえ付けた状態で、クランプ１３は突条４に固定されるので、クランプ１３の固定状態はきわめて安定したものとなる。
【００３１】
クランプ１３は、屋根緑化構造体１０が取り付けられる範囲に亘って、立ちはぜ突条４の延在方向に所定間隔をおいて適数が取り付けられる。上記のようにクランプ１３のクランプ片２１は、第１の水平部２２ｂ，垂直部２４，第２の水平部２５で形成される断面コ字状空間を有しており、フラット化パネル１１の端部を差し込むことができるようになっている。従って、図３に示すように、互いに対向する一対のクランプ１３の断面コ字状空間内に、フラット化パネル１１の両端縁を差し込み、保持させることによって、フラット化パネル１１を立ちはぜ折板屋根Ｒの上に敷き詰めた状態で固定することができる。フラット化パネル１１の固定によって、フラット化パネル１１の上面には、一定間隔をおいてクランプ１３の上面、すなわち第２の水平部２５が並んで配置された状態とされる。
【００３２】
保水排水基盤材１２は、図４に示すように、クランプ１３と取付金具３１によって立ちはぜ折板屋根Ｒに固定される。取付金具３１は、クランプ１３に取り付けられるスタッドボルト３２と、スタッドボルト３２に螺合される基盤材押さえ金具３３とからなる。
【００３３】
スタッドボルト３２は、支持板３２ｂのほぼ中央にネジ桿３２ａが溶接等により立設された構成を有している。そして、第２の水平部２５の上面に支持板３２ｂを接面させた状態で、支持板３２ｂの図示していないボルト穴と第２の水平部２５のボルト穴２７に取付ボルトを通してナットで締め付けることによってクランプ１３に取り付けられ、ネジ桿３２ａが上方に向かって突出する姿勢状態とされる。
【００３４】
ネジ桿３２ａは、保水排水基盤材１２に予め穿設されている固定穴１２ａに挿通されて、先端が保水排水基盤材１２から上方に突出する長さを有しており、基盤材押さえ金具３３を螺合させて、基盤材押さえ金具３３と支持板３２ｂとの間に保水排水基盤材１２を挟持することによって、保水排水基盤材１２を固定するようになっている。
【００３５】
仕切壁部材１６は、図５に示すように、植栽領域１０Ａと非植栽領域１０Ｂとの境界部分に沿って位置するように、複数のクランプ１３に固定される。仕切壁部材１６は、クランプ１３に固定される固定部４２と、かかる固定状態でフラット化パネル１１の上面から上方に向かって突出する縦壁部４１と、縦壁部４１の上端で折曲されて植栽領域１０Ａ側に向かって突出する庇部４３を有している。
【００３６】
固定部４２は、本実施の形態では、縦壁部４１の下端で折曲されて非植栽領域１０Ｂ側に向かって突出するように形成されており、仕切壁部材１６全体の断面形状が略Ｚ字となるように構成されている。固定部４２には、クランプ１３のボルト穴２７に連通するボルト穴４４が穿設されており、このボルト穴４４にボルトを通してナットで締め付けることにより、仕切壁部材１６をクランプ１３の上面に固定することができるようになっている。尚、固定部４２は、本実施の形態では図７に示すように縦壁部４１の全長に亘って延在するように設けられているが、例えば図８に示すように、クランプ１３の位置に対応する箇所にのみ設けてもよい。
【００３７】
縦壁部４１は、フラット化パネル１１の上面から植栽領域１０Ａに植栽された植物１５の高さ以上の位置まで突出する高さ幅を有している。本実施の形態では、植物１５の成長を考慮して、植物１５の高さ位置よりも若干上方に位置する高さ幅に設定されている。
【００３８】
庇部４３は、図７または図８に示すように、縦壁部４１の全長に亘って延在しており、植栽領域１０Ａの植物１５のうち、非植栽領域１０Ｂ近傍に位置する植物１５が成長して非植栽領域１０Ｂ側に向かって伸びた場合に、庇部４３の下面に当接させて植栽領域１０Ａ側に向かわせることができ、植物１５が仕切壁部材１６を乗り越えて非植栽領域１０Ｂに侵入するのを抑制することができるように形成されている。庇部４３の突出幅は、植栽領域１０Ａに植栽される植物１５の種類に応じて設定されており、背が高くなる種類の場合には幅広に設定され、背が低い種類の場合には幅狭に設定されている。
【００３９】
上記した屋根緑化構造体１０の構成によれば、仕切壁部材１６が、植栽領域１０Ａに植栽された植物１５の高さ以上の位置まで突出する縦壁部４１と、縦壁部４１の上端で折曲されて植栽領域１０Ａ側に向かって突出する庇部４３とを有しているので、植栽領域１０Ａに植栽されている植物１５が成長した場合に、非植栽領域１０Ｂ近傍に植栽されている植物１５を庇部４３に当接させることができ、植物１５が非植栽領域１０Ｂ側に侵入するのを有効に防ぐことができる。従って、非植栽領域１０Ｂに設けられた管理通路５１が植物によって覆われるのを防ぐことができる。また、仕切壁部材１６が庇部４３を有することによって、縦壁部４１の高さを低くすることができ、管理通路５１の歩行や管理作業が阻害されるのを防ぐことができる。
【００４０】
また、上記した屋根緑化構造体１０の構成によれば、仕切壁部材１６は、縦壁部４１の下端で折曲されて非植栽領域１０Ｂ側に向かって突出してクランプ１３に固定される固定部４２を有しており、断面が略Ｚ字形状を有しているので、固定部４２を非植栽領域１０Ｂ側に露出させることができる。従って、フラット化パネル１１の上方からボルト穴４４にボルトを挿入してボルト締めすることができ、仕切壁部材１６をクランプ１３に容易に固定することができる。従って、施工期間を短縮化し、施工コストを安価にすることができる。
【００４１】
上述の実施の形態では、非植栽領域１０Ｂを管理通路５１とする場合を例に説明したが、図９に示すように、非植栽領域１０Ｂに太陽光発電パネル５２を設けてもよい。これによれば、例えば植物１５によって太陽光発電パネル５２が植物１５によって覆われるのを防ぎ、また、縦壁部４１の高さを低くすることができる。従って、仕切壁部材１６によって太陽光発電パネル５２に日陰部分が形成されるのを防ぎ、あるいは、日陰部分の大きさを小さくすることができる。従って、太陽光発電パネル５２の受光が仕切壁部材１６によって妨害されるのを防ぎ、所期の発電効率を確保することができる。
【００４２】
太陽光発電パネル５２は、例えば所定の板厚を有する平面視略矩形の平板形状を有しており、図９に示すように、フラット化パネル１１の上面に沿って平面状に広がるように配置される。太陽光発電パネル５２とクランプ１３との間には、太陽光発電パネル５２を屋根上に固定するためのアタッチメント６１が介在されている。
【００４３】
アタッチメント６１は、図９のＣ部を拡大した図１０に示すように、太陽光発電パネル５２が載せられる台座部６２と、台座部６２に太陽光発電パネル５２を位置決め固定するための固定部６３と、台座部６２をクランプ１３に取り付けるための取付部６４を有している。台座部６２は、閉断面形状を有する角パイプ部材を、太陽光発電パネル５２の大きさに合わせて枠状に形成することによって構成されている。
【００４４】
固定部６３は、断面が略Ｌ字状を有しており、水平片６３ａが台座部６２の上面にボルト固定され、垂直片６３ｂが太陽光発電パネル５２の側面に接面して溶接されている。取付部６４は、固定部６３と同様に断面が略Ｌ字状を有しており、水平片６４ａがクランプ片２１の水平部２５の上面にボルト固定され、垂直片６４ｂが台座部６２の側面に接面して溶接されている。
【００４５】
上記構成を有するアタッチメント６１を太陽光発電パネル５２とクランプ１３との間に介在させることによって、太陽光発電パネル５２を屋根上に容易且つ確実に固定することができる。そして、メンテナンス作業等を行う場合には簡単に取り外すことができる。
【００４６】
上述の実施の形態では、非植栽領域１０Ｂに太陽光発電パネル５２を敷設する場合を例に説明したが、太陽光発電パネル５２の代わりに、あるいは太陽光発電パネル５２とともに、デッキ材を敷設してもよい。
【００４７】
デッキ材は、木製（ウッドデッキ）、樹脂製、金属製、セラミック製（タイル、煉瓦を含む）等からなり、上記した太陽光発電パネル５２の場合と同様に、所定の板厚を有する平板形状を有し、アタッチメント６１の上に載置されて固定される。
【００４８】
従って、非植栽領域１０Ｂに、歩行者が歩行可能な歩道や、作業者が植栽領域１０Ａの植物等のメンテナンスを行うための作業用通路等を形成することができ、歩行者等が植栽領域１０Ａに立ち入るのを防いで、植物を保護することができる。
【００４９】
本発明は、上述の実施の形態に限定されるものではなく、本発明の趣旨を逸脱しない範囲で種々の変更が可能である。例えば上述の実施の形態では、立ちはぜ折板屋根Ｒの場合を説明したが、屋根緑化構造体１０を取り付けることができる屋根であればよく、折板屋根に限定されるものではない。また、上述の実施の形態においては、仕切壁部材１６を屋根勾配方向に延在させているが、仕切壁部材１６の延在させる方向について限定されるものではない。また、建物の屋上を緑化する屋上緑化構造体に仕切壁部材１６を用いて植栽領域１０Ａと非植栽領域１０Ｂを形成した構成としてもよい。
【図面の簡単な説明】
【００５０】
【図１】立ちはぜ折板屋根の一例を示す斜視図（ａ）、及び屋根板の断面図（ｂ）。
【図２】立ちはぜ折板屋根の上に屋根緑化構造体が敷設された状態を示す平面図。
【図３】屋根緑化構造体の固定状態を説明する断面図。
【図４】図３のＡ部を拡大して示す図。
【図５】図３のＢ部を拡大して示す図。
【図６】クランプの構成を説明する斜視図。
【図７】仕切壁部材の一実施例を示す斜視図。
【図８】仕切壁部材の他の実施例を示す斜視図。
【図９】他の実施の形態における屋根緑化構造体の要部を拡大して示す断面図。
【図１０】図９のＣ部を拡大して示す図。
【符号の説明】
【００５１】
１０  屋根緑化構造体
１０Ａ  植栽領域
１０Ｂ  非植栽領域
１１  フラット化パネル（パネル部材）
１２  保水排水基盤材（緑化基盤材）
１３  クランプ（固定具）
１４  軽量土壌
１５  植物
１６  仕切壁部材
１７  透水シート
２１  クランプ片
３１  取付金具
３２  スタッドボルト
３３  基盤材押さえ金具
４１  縦壁部
４２  固定部
４３  庇部
５１  管理通路
５２  太陽光発電パネル
【図１】
2010138545.tif 000003
【図２】
2010138545.tif 000004
【図３】
2010138545.tif 000005
【図４】
2010138545.tif 000006
【図５】
2010138545.tif 000007
【図６】
2010138545.tif 000008
【図７】
2010138545.tif 000009
【図８】
2010138545.tif 000010
【図９】
2010138545.tif 000011
【図１０】
2010138545.tif 000012